【手続補正書】
【提出日】平成19年7月24日(2007.7.24)
【手続補正１】
【補正対象書類名】明細書
【補正対象項目名】特許請求の範囲
【補正方法】変更
【補正の内容】
【特許請求の範囲】
【請求項１】  制御コマンドおよび第１の制御信号、第２の制御信号が互いに送受信が可能なようにシリアルに接続され、該制御コマンドの送受信が統括的に制御される複数の電子機器であって、
前記第１の制御信号を入力するための入力ポートと前記第２の制御信号を出力するための出力ポートを有し、前段の電子機器に接続される第１の入出力手段と、
前記第１の制御信号を出力するための出力ポートと前記第２の制御信号を入力する入力ポートを有し、後段の電子機器に接続される第２の入出力手段と、
前記第１の入出力手段の入力ポートに接続される第１の入力ポートと、前記第２の入出力手段の入力ポートに接続される第２の入力ポートと、前記第２の入出力手段の出力ポートに接続される出力ポートとを有する処理手段と、
前記第１の入出力手段の出力ポートに対して、前記処理手段の出力ポートおよび前記第２の入出力手段の入力ポートのいずれか一方の端子との接続を切り換える切り換え手段と、を有し、
前記処理手段は、第１の制御信号を出力し、前記出力ポートから当該出力された第１の制御信号を出力し、その出力に対してして前記第２の入力ポートより第２の制御信号が入力されたかどうかを判断し、その判断に応じて前記切り換え手段を制御することを特徴とする電子機器。
【請求項２】  前記処理手段は、前記第１の入力ポートに前段の電子機器から第１の制御信号が入力されたことに応じて、新たに前記第１の制御信号を出力することを特徴とする請求項１の電子機器。
【請求項３】  前記電子機器が起動する場合に前段の電子機器から第１の制御信号が入力されることを特徴とする請求項２の電子機器。
【請求項４】  前段の電子機器から入力される第１の制御信号のＩＤ番号に基づいて前記電子機器のＩＤ番号を設定することを特徴とする請求項２の電子機器。
【請求項５】  前段の電子機器から入力される第１の制御信号のＩＤ番号＋１を前記電子機器のＩＤ番号として設定することを特徴とする請求項４の電子機器。
【請求項６】  設定された前記電子機器のＩＤ番号を送信元のＩＤ番号として第１の制御信号を出力することを特徴とする請求項４の電子機器。
【請求項７】  前記処理手段は、所定時間経過していないうちに前記第２の入力ポートより第２の制御信号が入力されなかった場合、前記第１の入出力手段の出力ポートと前記処理手段の出力ポートとを接続するように切り換え手段を制御し、第２の制御信号が入力された場合、前記第１の入出力手段の出力ポートと前記第２の入出力手段の入力ポートとすることを特徴とする請求項１の電子機器。
【請求項８】  コンピュータよりシリアルに接続され、制御コマンドおよび第１の制御信号、第２の制御信号が互いに送受信が可能とされ、該制御コマンドの送受信が統括的に制御される電子機器であって、
前段の電子機器に接続される第１の入出力手段と、
後段の電子機器に接続される第２の入出力手段と、
第１の制御信号を出力し、当該出力された第１の制御信号を前記第２の入出力手段を介して後段に接続される電子機器に対して出力し、その出力に対してして第２の制御信号が入力されたかどうかを判断し、第２の制御信号が入力されなかったと判断された場合、前記コンピュータに前記電子機器が末端に接続されていることを前記第１の入出力手段を介して出力する処理手段を有することを特徴とする電子機器。
【請求項９】  前記処理手段は、前段の電子機器から前記第１の入出力手段を介して第１の制御信号が入力されたことに応じて、新たに前記第１の制御信号を出力することを特徴とする請求項８の電子機器。
【請求項１０】  前記電子機器が起動する場合に、前記コンピュータより第１の制御信号が出力されることを特徴とする請求項９の電子機器。
【請求項１１】  所定の周期ごとに前記コンピュータより第１の制御信号の出力がされることを特徴とする請求項９の電子機器。
【請求項１２】  前段の電子機器から入力される第１の制御信号のＩＤ番号に基づいて前記電子機器のＩＤ番号を設定することを特徴とする請求項９の電子機器。
【請求項１３】  前段の電子機器から入力される第１の制御信号のＩＤ番号＋１を前記電子機器のＩＤ番号として設定することを特徴とする請求項１２の電子機器。
【請求項１４】  前記第１の入出力手段より制御コマンドが入力された場合、当該制御コマンドの送信先機器ＩＤ番号を判断することによって当該制御コマンドに基づく制御を実行するかどうかを判断することを特徴とする請求項１２または請求項１３の電子機器。
【請求項１５】  当該制御コマンドの送信先機器ＩＤ番号を前記電子機器のＩＤ番号であると認識した場合、当該制御コマンドに基づく制御を実行することを特徴とする請求項１４の電子機器。
【請求項１６】  当該制御コマンドの送信先機器ＩＤ番号が所定のＩＤ番号であった場合、当該制御コマンドに基づく制御を実行することを特徴とする請求項１４の電子機器。
【請求項１７】  前記コンピュータに前記電子機器が末端に接続されていることを前記第１の入出力手段を介して出力する場合、予め設定された自身のＩＤ番号を付加して出力することを特徴とする請求項８の電子機器。
【請求項１８】  電子機器をシリアルに接続し、当該電子機器に対して制御コマンドおよび所定の制御信号を送受信することにより、当該電子機器を統括的に制御可能なコンピュータであって、
前記コンピュータのＩＤ番号を付加した所定の制御信号を出力し、
当該出力された所定の制御信号に対応するコマンドが入力されたかどうかを確認し、前記コマンドが入力されたことが確認された場合、当該入力されたコマンドに基づいて前記電子機器の接続状態を認識する処理手段を有することを特徴とするコンピュータ。
【請求項１９】  前記処理手段は、前記入力されたコマンドに付加された送信先のＩＤ番号に基づいて前記電子機器の接続状態を認識することを特徴とする請求項１８のコンピュータ。
【請求項２０】  前記電子機器が起動する場合に、前記所定の制御信号が出力されることを特徴とする請求項１８のコンピュータ。
【請求項２１】  所定の周期ごとに前記所定の制御信号が出力されることを特徴とする請求項１８のコンピュータ。
【請求項２２】  コンピュータよりシリアルに接続され、制御コマンドおよび第１の制御信号、第２の制御信号が互いに送受信が可能とされ、該制御コマンドの送受信が統括的に制御される電子機器の接続方法であって、
前記コンピュータより前記第１の制御信号を出力し、
前記電子機器において、
前記コンピュータまたは前段の電子機器から出力された第１の制御信号の入力に伴って、新たに第１の制御信号をし、
当該された第１の制御信号を後段に接続されるべき電子機器に出力し、
前記後段に接続されるべき電子機器に出力した第１の制御信号に基いて、第２の制御信号が入力されたかどうかを判断し、
第２の制御信号が入力されなかった場合、前記電子機器が接続の末端であることを前記コンピュータに出力することにより、
前記コンピュータにおいて、電子機器の接続状態を認識を可能とすることを特徴とする電子機器の接続方法。
【請求項２３】  前記コンピュータまたは前段の電子機器から出力された第１の制御信号のＩＤ番号に基づいて、前記電子機器のＩＤ番号を設定することを特徴とする請求項２２の電子機器の接続方法。
【請求項２４】  第２の制御信号が入力されなかった場合、前記コンピュータに前記電子機器のＩＤ番号を出力して電子機器の接続の末端であることを認識させることを特徴とする請求項２３の電子機器の接続方法。
【請求項２５】  制御コマンドおよび第１制御信号、第２の制御信号が互いに送受信が可能とされてシリアルに接続され、前記第１の制御信号を入力するための入力ポートと前記第２の制御信号を出力するための出力ポートを有し前段の電子機器に接続されるべき第１の入出力手段と、前記第１の制御信号を出力するための出力ポートと前記第２の制御信号を入力するための入力ポートを有し、後段の電子機器に接続されるべき第２の入出力手段と、前記第１の入出力手段の入力ポートに接続される第１の入力ポートと、前記第２の入出力手段の入力ポートに接続される第２の入力ポートと、前記第２の入出力手段の出力ポートに接続される出力ポートとを有する処理手段と、前記第１の入出力手段の出力ポートに対して、前記処理手段の出力ポートおよび前記第２の入出力手段の入力ポートのいずれか一方の端子との接続を切り換える切り換え手段とを有し、該制御コマンドの送受信が統括的に制御される電子機器の動作を制御するプログラムを記憶した記憶媒体であって、
第１の制御信号を出力し、前記出力ポートから当該出力された第１の制御信号を出力し、その出力に対してして前記第２の入力ポートより第２の制御信号が入力されたかどうかを判断し、その判断に応じて前記切り換え手段を制御するモジュールを有することを特徴とする記憶媒体。
【請求項２６】  コンピュータよりシリアルに接続され、前段の電子機器に接続されるべき第１の入出力手段と、後段の電子機器に接続されるべき第２の入出力手段とを有し、制御コマンドおよび第１の制御信号、第２の制御信号が互いに送受信が可能とされ、該制御コマンドの送受信が統括的に制御される電子機器の動作を制御するプログラムを記憶した記憶媒体であって、
第１の制御信号を出力し、当該出力された第１の制御信号を前記第２の入出力手段を介して後段に接続されるべき電子機器に対して出力し、その出力に対してして第２の制御信号が入力されたかどうかを判断し、第２の制御信号が入力されなかったと判断された場合、前記コンピュータに前記電子機器が末端に接続されていることを前記第１の入出力手段を介して出力するモジュールを有することを特徴とする記憶媒体。
【請求項２７】  電子機器をシリアルに接続し、当該電子機器に対して制御コマンドおよび所定の制御信号を送受信することにより、当該電子機器を統括的に制御可能なコンピュータの動作処理をするプログラムを記憶した記憶媒体であって、
前記コンピュータのＩＤ番号を付加した所定の制御信号を出力し、当該出力された所定の制御信号に対応するコマンドが入力されたかどうかを確認し、前記コマンドが入力されたことが確認された場合、当該入力されたコマンドに基づいて前記電子機器の接続状態を認識するモジュールを有することを特徴とする記憶媒体。
【手続補正２】
【補正対象書類名】明細書
【補正対象項目名】０００６
【補正方法】変更
【補正の内容】
【０００６】
【課題を解決するための手段】
上述した目的を達成するため、本発明の電子機器は、制御コマンドおよび第１の制御信号、第２の制御信号が互いに送受信が可能なようにシリアルに接続され、該制御コマンドの送受信が統括的に制御される複数の電子機器であって、前記第１の制御信号を入力するための入力ポートと前記第２の制御信号を出力するための出力ポートを有し、前段の電子機器に接続される第１の入出力手段と、前記第１の制御信号を出力するための出力ポートと前記第２の制御信号を入力する入力ポートを有し、後段の電子機器に接続される第２の入出力手段と、前記第１の入出力手段の入力ポートに接続される第１の入力ポートと、前記第２の入出力手段の入力ポートに接続される第２の入力ポートと、前記第２の入出力手段の出力ポートに接続される出力ポートとを有する処理手段と、前記第１の入出力手段の出力ポートに対して、前記処理手段の出力ポートおよび前記第２の入出力手段の入力ポートのいずれか一方の端子との接続を切り換える切り換え手段と、を有し、前記処理手段は、第１の制御信号を出力し、前記出力ポートから当該出力された第１の制御信号を出力し、その出力に対してして前記第２の入力ポートより第２の制御信号が入力されたかどうかを判断し、その判断に応じて前記切り換え手段を制御することを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】